(57)【要約】  要求精度を伴うモバイル端末（１１）の位置の推定値に関する要求者（１９）によって発信された要求（ｂ）に応答する際に、無線通信ネットワーク（１８）によって使用される方法であって（要求は、ＬＣＳサーバ（１６ａ）を介して提供される）、この方法は、モバイル端末（１１）をセルラーネットワーク（１８）に結合している無線アクセスネットワーク（１２）のコントローラ（１２ｂ）が、位置／ロケーションの推定値のみならず、ＬＣＳサーバが直接的に使用可能な形態の推定値の精度（例えば、要求精度と同一の形態を有するもの）又は精度充足表示、即ち、推定値の精度が、少なくとも要求精度と同程度に良好なものであるかどうかに関する表示をも含む要求に対する応答（ｈ）を提供する段階を含んでいる。
2007527659.tif 000002
【特許請求の範囲】
【請求項１】
無線アクセスネットワーク（１２）のコントローラ（１２ｂ）を介してコアネットワーク（１６）に結合されているモバイル端末（１１）のロケーションの推定値に関するＬＣＳクライアント（１９）によって発信された要求（ｂ）に応答する際に、前記無線アクセスネットワーク（１２）と、ロケーション通信サービス（ＬＣＳ）サーバ（１６ａ）を含む前記コアネットワーク（１６）と、を含む無線通信ネットワーク（１８）によって使用される方法であって、前記要求（ｂ）は、要求精度を含んでおり、前記無線アクセスネットワーク（１２）は、ロケーションの推定値及び関連した精度を提供するために、前記ＬＣＳサーバ（１６ａ）によって提供される前記要求（ｂ）に応答し、前記モバイル端末（１１）のロケーションの計測を実行する手段（１２ａ）を含んでいる、方法において、
前記コントローラ（１２）が、前記要求（ｂ）に応答し、前記ロケーションの推定値を通知すると共に、前記要求精度に関係する前記関連した精度を通知するバイナリ表示、又は前記要求（ｂ）内において前記ＬＣＳサーバ（１６ａ）が前記要求精度を提供したものと同一の条件における前記関連した精度を含む応答（ｈ）を提供する段階を特徴とする方法。
【請求項２】
前記ＬＣＳクライアント（１９）は、前記コアネットワーク（１６）の外部に存在している請求項１記載の方法。
【請求項３】
前記ＬＣＳクライアントは、前記モバイル端末（１１）から遠く離れた装置（１９）によってホスティングされているアプリケーションである請求項２記載の方法。
【請求項４】
前記ＬＣＳクライアントは、前記モバイル端末（１１）を含むユーザ装置である請求項２記載の方法。
【請求項５】
前記ＬＣＳクライアント（１９）は、前記コアネットワーク（１６）内に存在している請求項１記載の方法。
【請求項６】
前記ＬＣＳクライアントは、前記無線アクセスネットワーク（１２）のコントローラ（１２ｂ）である請求項１記載の方法。
【請求項７】
コントローラ（１０）の装置の一部として含まれているコンピュータプロセッサによって実行するためのコンピュータプログラムコードを実装したコンピュータ可読記憶構造を有するコンピュータプログラムプロダクトにおいて、
前記コンピュータプログラムコードは、請求項１記載の方法を実行する命令を含んでいることを特徴とするコンピュータプログラムプロダクト。
【請求項８】
無線アクセスネットワーク（１２）のコントローラ（１２ｂ）を介してコアネットワーク（１６）に結合されているモバイル端末（１１）のロケーションの推定値に関するＬＣＳクライアント（１９）から発信された要求（ｂ）に応答する際に、前記無線アクセスネットワーク（１２）と、ロケーション通信サービス（ＬＣＳ）サーバ（１６ａ）を含む前記コアネットワーク（１６）と、を含む無線通信ネットワーク（１８）によって使用される装置であって、前記要求（ｂ）は、要求精度を含んでおり、前記無線アクセスネットワーク（１２）は、ロケーションの推定値及び関連した精度を提供するために、前記ＬＣＳサーバ（１６ａ）によって提供される前記要求に応答し、前記モバイル端末（１１）のロケーションの計測を実行する手段（１２ａ）を含んでいる、装置において、
前記コントローラ（１２）が、前記要求（ｂ）に応答し、前記ロケーションの推定値を通知すると共に、前記要求精度に関係する前記関連した精度を通知するバイナリ表示、又は前記要求（ｂ）内において前記ＬＣＳサーバ（１６ａ）が前記要求精度を提供したものと同一の条件における前記関連した精度を含む応答（ｈ）を提供する手段（１２ｂ、１２ｃ）を特徴とする装置。
【請求項９】
無線通信システム（１８）のコアネットワーク（１６）と、モバイル端末（１１）と、前記モバイル端末（１１）を前記コアネットワーク（１６）に結合している無線アクセスネットワーク（１２）と、を備えるシステムにおいて、
前記無線アクセスネットワークは、請求項８記載の装置（１２ｂ、１２ｃ）を含んでいることを特徴とするシステム。
【発明の詳細な説明】
【技術分野】
【０００１】
本発明は、モバイル端末のロケーションを提供する（即ち、その位置の推定値を提供する）分野に関するものである。更に詳しくは、本発明は、ロケーションと共にロケーションの精度の表示を提供する方法に関するものである。
【背景技術】
【０００２】
３ＧＰＰ（Third  Generation  Partnership  Program）においては、ＵＭＴＳ（Universal  Mobile  Telecommunication  System）及びＧＳＭ／ＥＤＧＥ（Global  System  for  Mobile  communication／Enhanced  Data  rates  for  ＧＳＭ  Evolution）システムの両方において、ＬＣＳ（Location  Communication  System）クライアント（即ち、モバイル端末を含む移動局／ユーザ装置又は移動局のロケーションを知ることを所望するユーザによって操作される非モバイル装置によってホスティング（hosting）されているクライアントアプリケーション）は、そのクライアント自体をホスティングしている装置又はなんらかのその他の装置（移動局）のために、（対応する通信事業者ネットワークによって提供される／又はこれに結合された）ＬＣＳサーバに対して、位置の推定値をクライアントに提供するように要求することができる。例えば、移動局は、（ＬＣＳクライアントとして）自分自身のロケーション／位置の推定値を要求可能であり、或いは、インターネット並びに、最終的にはＬＣＳサーバにリンクされているコンピュータによってホスティングされているアプリケーションは、移動局のロケーション／位置の推定値に関する要求をＬＣＳサーバに送信可能である（この要求は、通常、アプリケーションのユーザがこのような情報を受信するべく認可されている場合にのみ履行される）。いずれの場合にも、提供されるロケーション／位置の推定値は、無線アクセスネットワーク（Radio  Access  Network：ＲＡＮ）を介して通信事業者のネットワークに通信可能に結合されている移動局の位置の推定値であり、ＲＡＮは、ＬＣＳサーバを含んでいるか、或いは、これに結合されている。
【０００３】
ＬＣＳサーバが、ＬＣＳクライアントからの要求に応答して移動局のロケーションの推定値を提供する（即ち、その位置の推定値を提供する）方法の１つが、移動局を１つ又は別の通信事業者ネットワークに通信可能に結合しているＲＡＮからこれを取得するという方法である。ＬＣＳクライアントは、位置の推定値をある応答時間内において求められると共に、指定の精度を具備するように要求可能であり、この指定の精度は、ＱｏＳ（Quality  of  Service）を指定することによって表示可能である。最近の３ＧＰＰ  ＴＳＧ（Technical  Specification  Group）のＲＡＮ  ＷＧ２（Working  Group  Two）及びＷＧ３の第３９回会合において、Ｒｅｌ−９９以降のすべてのリリースにおいては、ＵＴＲＡＮ（ＵＭＴＳ  Terrestrial  Radio  Access  Network）は、要求内に表示されている要求精度が実現されない場合にも、ロケーション／位置の推定値の要求に応答し、常に、実現可能な最良の精度により、これを返すようにすることが承認されている。従って、要求されている精度を具備していない場合にも、位置の推定値をＬＣＳクライアントに返さなければならない。ＬＣＳクライアントに対しては、ロケーションの推定値のみならず、そのロケーションの推定値が要求精度を具備しているかどうかに関する表示をも提供することが有利であるが、ＬＣＳサーバとＬＣＳクライアント間の標準的なＭＬＰ（Mobile  Location  Protocol）インタフェースは、これを許容しておらず、ＬＣＳサーバは、ＲＡＮによって実行されたロケーションの推定において要求精度が実現されているかどうかを判定するのに必要なすべての情報又は能力を適切に具備していないであろう。
【発明の開示】
【発明が解決しようとする課題】
【０００４】
現時点においては、ＬＣＳクライアントは、要求精度を、数字、例えば、メートルによって、ＬＣＳサーバに指定可能であり、この要求に応答し（それがＬＣＳによって適切なＲＡＮに転送された後に）、ＬＣＳサーバは、形状（典型的には、例えば、多角形や楕円などのセルの形状）によって、適切なＲＡＮ（位置の推定対象であるモバイルが結合されているＲＡＮ）から信頼（confidence）エリアを受信する。ロケーションの推定値が指定の精度を具備しているかどうかを判定するべく、ＬＣＳサーバは、計算を実行し、信頼エリア（形状）が、要求精度を提供しているかどうかを判定しなければならない。ＬＣＳサーバは、この計算の実行に必要な情報のすべてを具備してはおらず、これを実行するには、一般に、ＬＣＳサーバは、様々なＲＡＮセルとして使用されている形状に関する情報を具備しなければならない。その一方で、ＲＡＮは、この情報を具備している可能性が高く、或いは、少なくとも、信頼エリアの形状を要求の精度に関係付ける又は、ロケーションの推定値が要求精度を具備しているかどうかをその他の方法で判定することができるようにＲＡＮ装置のアップグレードを実施することは妥当なことである。
【課題を解決するための手段】
【０００５】
以上のような考察に鑑み、本発明の第１の態様においては、無線アクセスネットワークのコントローラを介してコアネットワークに結合されているモバイル端末のロケーションの推定値についてＬＣＳクライアントから発信された要求に応答する際に、無線アクセスネットワークと、ＬＣＳサーバを含むコアネットワークと、を含む無線通信ネットワークによって使用される方法が提供され、要求は、要求精度を含んでおり、無線アクセスネットワークは、ロケーションの推定値及び関連した精度を提供するために、ＬＣＳサーバによって提供される要求に応答し、モバイル端末のロケーションの計測を実行する手段を含んでおり、この方法は、コントローラが、要求に応答して、ロケーションの推定値を通知すると共に、要求精度に対する関連した精度を通知するバイナリ表示、又は要求内においてＬＣＳサーバが要求精度を提供したものと同一の条件における関連した精度を含む応答を提供する段階を特徴としている。
【０００６】
本発明の第１の態様によれば、ＬＣＳクライアントは、コアネットワークの外部に存在可能である。又、ＬＣＳクライアントは、モバイル端末から遠く離れた装置によってホスティングされているアプリケーションであってもよい。更には、ＬＣＳクライアントは、モバイル端末を含むユーザ装置であってもよい。
【０００７】
本発明の第１の態様によれば、ＬＣＳクライアントは、コアネットワーク内に存在することも可能である。
【０００８】
本発明の第１の態様によれば、ＬＣＳクライアントは、無線アクセスネットワークのコントローラであってもよい。
【０００９】
本発明の第２の態様においては、コントローラの装置の一部として含まれているコンピュータプロセッサによって実行されるコンピュータプログラムを実装したコンピュータ可読記憶構造を有するコンピュータプログラムプロダクトが提供され、このコンピュータプログラムコードは、本発明の第１の態様による方法を実行するための命令を含んでいることを特徴としている。
【００１０】
本発明の第３の態様においては、無線アクセスネットワークのコントローラを介してコアネットワークに結合されているモバイル端末のロケーションの推定値についてＬＣＳクライアントから発信された要求に応答する際に、無線アクセスネットワークと、ＬＣＳサーバを含むコアネットワークと、を含む無線通信ネットワークによって使用される装置が提供され、要求は、要求精度を含んでおり、無線アクセスネットワークは、ロケーションの推定値及び関連した精度を提供するために、ＬＣＳサーバによって提供される要求に応答し、モバイル端末のロケーションの計測を実行する手段を含んでおり、本装置は、コントローラが、要求に応答し、ロケーションの推定値を通知すると共に、要求精度に対する関連した精度を通知するバイナリ表示、又は要求内においてＬＣＳサーバが要求精度を提供したものと同一の条件における関連した精度を含む応答を提供する手段を特徴としている。
【００１１】
本発明の第４の態様においては、無線通信システムのコアネットワーク、モバイル端末、モバイル端末をコアネットワークに結合している無線アクセスネットワークを具備しており、無線アクセスネットワークが本発明の第３の態様による装置を含んでいることを特徴とするシステムが提供される。
【発明を実施するための最良の形態】
【００１２】
本発明の前述及びその他の目的、特徴、及び利点については、添付の図面との関連において提示される以下の詳細な説明を参照することによって明らかとなろう。
【００１３】
まず、図１を参照すれば、要求者であるＬＣＳクライアント１９がＭＴ（Mobile  Terminal：移動局）１１とは別個のものである、即ち、ＭＴ１１とは物理的に分離している場合には、ＭＴ１１のロケーション／位置の要求精度を有する（即ち、表示された精度内における）推定値を提供するためのＬＣＳサーバ１６ａに対する外部ＬＣＳ（Location  Communication  Service）クライアント１９からの要求（メッセージ「ａ」）と関連した本発明によるメッセージングが示されている。ＭＴ１１は、ＲＡＮ（無線アクセスネットワーク）１２、並びに、コアネットワーク１６を介してその他の通信端末に通信可能に結合されており、コアネットワークは、ＬＣＳサーバ１６ａを含んでいる。ＭＴ１１、ＲＡＮ１２、及びコアネットワーク１６は、無線通信ネットワーク１８の一部である。従来技術におけると同様に、（外部の）ＬＣＳクライアント１９は、要求精度（これは、例えば、メートルを単位としている）と共にＭＴ１１のロケーション要求をＬＣＳサーバ１６ａに送信する。ＬＣＳサーバ１６ａは、コアネットワーク１６のその他の構成要素を介して、この要求をＲＡＮ１２に（メッセージ「ｂ」として）、並びに、特に、ＲＡＮのコントローラ１２ｂに伝達する。（要求を伝達する先である特定のコントローラ１２ｂは、一般に、ＭＴ１１に対して発呼する方法を決定する際に使用されるものと同一の機能を基本的には使用して判定され、これには、ＭＴ１１がそのホームエリア外に位置している場合には、ホームロケーションレジスタを参照する段階を伴うことになろう）。必要に応じて、アクセスポイント１２ａに対して計測のための関連する要求を（メッセージ「ｃ」として）送付し、これらを（メッセージ「ｅ」として）受信した後に、コントローラ１２ｂは、アクセスポイントに対して要求されると共に、典型的には、ロケーション計測シグナリングとして示されており、且つ、メッセージ「ｄ」として示されているＭＴ１１とのシグナリングを伴う追加の計測に基づいて、ＭＴ１１の位置を推定するのに適切なＲＡＮ１２のＬＣＳ計算機能１２ｃに対して要求を伝送する（メッセージ「ｆ」において）。（ＲＡＮのＬＣＳ計算機能１２ｃは、コントローラ１２ｂ内に組み込むことも可能であり、或いは、スタンドアロンネットワーク構成要素として存在することも可能である）。次いで、ＲＡＮ１２のＬＣＳ計算機能１２ｃは、本発明の主題ではない方法及び技術に従ってＭＴ１１の位置／ロケーションの推定値と、その推定値の対応する精度を決定する。
【００１４】
ＲＡＮ１２のＬＣＳ計算機能１２ｃは、要求を受信し、本発明の主題ではない方法及び技術に従ってロケーションの推定値を決定した後に、ロケーションの推定値及び関連した実際の精度を提供する（メッセージ「ｇ」で）。この場合に、本発明によれば、ＲＡＮのＬＣＳ計算機能１２ｃ又はコントローラ１２ｂは、ＬＣＳクライアント１９によって要求されている精度をロケーションの推定値が具備しているかどうかを直接的な比較によってＬＣＳサーバ１６ａが決定可能な条件によって精度を表示している。例えば、コントローラ１２ｂが、幾何学的な形状（例えば、楕円）によってＬＣＳ計算機能１２ｃから精度情報を受信し、ＬＣＳサーバ１６ａがメートルによる精度を使用して位置の推定値を要求している場合には、ＬＣＳ機能は、アクセスポイントから提供される情報を使用することにより、関連した精度をメートルによって決定する。（当然のことながら、ＬＣＳ計算機能は、ＬＣＳサーバ１６ａが理解可能な条件によって実際の精度を提供可能であるが、要求精度に関する知識を有していない状態においては、ＬＣＳ計算機能は、実現された精度が少なくとも要求精度と同程度に良好であるかどうかに関する表示を提供することはできない）。
【００１５】
取得した実際の精度と、ＬＣＳサーバ１６ａが要求精度と直接的に比較可能な条件に基づいて（更なる変換又は計算を伴うことなしに）、コントローラ１２ｂは、ロケーションの推定値と、ＬＣＳサーバ１６ａが使用可能な形態の精度、即ち、要求精度との直接的な比較が可能なもの又は少なくとも（実現された）精度が要求精度と同程度に良好であるかどうかに関する表示、即ち、本明細書において精度充足表示／又はフラグと呼ばれるもののいずれかをＬＣＳサーバ１６ａに提供する（メッセージ「ｈ」として）。前者の場合には、ＬＣＳサーバ１６ａは、次いで、そのロケーションの推定値が要求精度を具備しているかどうかを判定し、且つ、いずれの場合にも、ＬＣＳサーバは、次いで、そのロケーションの推定値を（但し、必ずしも関連した／使用可能な精度を伴うことなしに）（外部の）ＬＣＳクライアント１９に提供する（メッセージ「ｉ」として）。（更には、ＬＣＳサーバ１６ａ又は、更に一般的には、コアネットワーク１６は、要求精度を有するＭＴ１１のロケーションについて将来実行されるであろう要求の際に再使用可能なように、このロケーションの推定値及び関連した／使用可能な精度又は、少なくとも表示された要求精度と同程度に精度が良好であるという表示をメッセージ「ｊ」を介してロケーションデータベース１７内に保存可能である。要求が将来実行される時点においてファイル上のロケーションが有効であることを示すのに十分な情報が存在している場合にのみ、このような再使用が行われることは明らかである）。
【００１６】
従って、本発明によれば、ＬＣＳサーバ１６ａは、ロケーションの推定値のみならず（要求精度を具備しているかどうかとは無関係に）、要求精度との直接的な比較が可能な形態で、推定値の精度又はロケーションの推定値の精度が要求精度と少なくとも同程度に良好であるかどうかに関する表示（即ち、精度充足表示／フラグ）をも受信し、且つ、認知する。この結果、ＬＣＳサーバ１６ａは、精度情報を使用し、例えば、実行されていないサービスについてＬＣＳクライアントに請求しないようにすることができる（例えば、要求されたものを下回る精度を有するロケーションの推定値の提供）。又、ＬＣＳサーバ１６ａは、精度をＬＣＳクライアント１９に対して提供することも可能であり、これは、いくつかの状況（恐らくは、特に、ＬＣＳクライアントが、ＭＴ１１自体であるか、又は緊急事態においてＭＴ１１の測位を試みる捜索及び救助又は警察当局である異なる環境）において有用であろう。
【００１７】
又、図１は、ＬＣＳクライアント１９が、ＲＡＮ１２を含んでいない通信経路を介して、その要求をＬＣＳサーバ１６ａに伝達する場合に限定されているように思われるが、ＬＣＳサーバをＬＣＳクライアント１９に接続する通信経路には、ＲＡＮ１２を包含することも可能であることを理解すべきである（図１が、そのように表示されていないのは、通信経路がＲＡＮを含んでいない場合をも表示するためである）。
【００１８】
図１に示されているメッセージングに対応した可能なシナリオとして、例えば、ＬＣＳクライアント１９は、例えば、インターネットを介して（又は、回線交換接続を介して）ＬＣＳサーバ１６ａと通信するように構成された端末によってホスティングされており、且つ、モバイル端末のロケーション情報を取得する権利がモバイル端末１１の所有者から付与されているアプリケーションである。さらに具体的には、例えば、モバイル端末の所有者は、モバイル端末のロケーションの推定値を要求し受信する権利を友人に付与しておくことができよう。
【００１９】
図２は、図１のアーキテクチャを別の角度から見たものである。図２に示されているように、ＲＡＮ１２は、例えば、ＭＴ１１との間に所謂Ｕｍインタフェースを具備したＧＥＲＡＮ（ＧＳＭ  ＥＤＧＥ  ＲＡＮ）又はＭＴ１１との間に所謂Ｕｕインタフェースを具備したＵＴＲＡＮであってよい。コアネットワーク１６とインタフェースする場合には、ＧＥＲＡＮは、所謂Ａインタフェースを介して２Ｇ  ＭＳＣとインタフェースしており、且つ、所謂Ｇｂインタフェースを介して２Ｇ  ＳＧＳＮ（Serving  ＧＰＲＳ  Support  Node）とインタフェースしている。リリース５以降のＧＥＲＡＮ  Ｉｕモードも、Ｉｕインタフェースを介して３Ｇ  ＳＧＳＮ及びＭＳＣとインタフェースしている。ＵＴＲＡＮの場合には、コアネットワーク１６に対するインタフェースは、３Ｇ  ＳＧＳＮに対しては、Ｉｕインタフェースを介したものになっており、ＭＳＣとも、Ｉｕインタフェースを介したものになっている。２Ｇ及び３Ｇ  ＳＧＳＮ及びＭＳＣは、所謂Ｌｇインタフェースを介してＧＭＬＣ（Gateway  Mobile  Location  Center）、即ち、ＬＣＳサーバ１６ａとインタフェースしている。又、図２には、所謂Ｌｅインタフェースを介して図１の（即ち、ＭＴ１１とは別個の）外部のＬＣＳクライアント１９とインタフェースし、ＨＳＳ（Home  Subscriber  Server）ともインタフェースしているＧＭＬＣも示されており、これは、Ｌｈインタフェースを介してＨＬＲ（Home  Location  Register）を含んでいる。
【００２０】
「ＬＣＳクライアント」という用語は、一般に、ＴＳ２３．２７１（ｖ５８０）の表６．１及び６．２に提供されているように、シナリオに応じた１つの又は別のエンティティ内に存在可能な論理的な機能を意味しており、この場合に、「ロケーションクライアント機能」は、コアネットワーク（特に、ＭＳＣ又はＳＧＳＮ内）に存在可能であると説明されており、この場合には、（コアネットワークに）内蔵型であると表現され、或いは、コアネットワークの外部のＵＥ（ユーザ装置、即ち、ＭＴ１１を含む装置）又はその他の通信端末内に存在することも可能であり、この場合には、これは外付け型であると表現される。
【００２１】
図１に示されているメッセージングは、モバイル終端型（３ＧＰＰ  ＴＳ２３．２７１による）ロケーション要求（ＭＴ  ＬＲ）と呼ばれるものの一例である。本発明は、モバイル終端保留型ロケーション要求と呼ばれるものにも有用であり、これは、コアネットワーク１６（即ち、ＭＳＣ又はＳＧＳＮ）が、あるイベントが発生した場合にのみ、要求をＲＡＮに送信するという点を除いて、図１に示されているものと同一である。更には、本発明は、例えば、コアネットワーク１６（即ち、ＭＳＣ又はＳＧＳＮ）が、所謂内部ＬＣＳクライアントとして、モバイル端末１１のロケーション要求を実行するネットワーク起動型ロケーション要求と呼ばれるもの（これは、例えば、モバイル端末からの９１１呼び出しの結果としてもたらされる）、並びに、前述のようにモバイル端末が（外部ＬＣＳクライアントとして）（自分自身のロケーションの）実際のロケーション要求を行うモバイル発信型（３ＧＰＰ  ＴＳ２３．２７１による）ロケーション要求の場合の使用にも有用である。
【００２２】
ネットワーク起動型ロケーション要求の場合には、ネットワークが、要求の発信元であり、即ち、ＣＮ（ＭＳＣ／ＳＧＳＮ）が、要求を発信してＲＡＮに送信し、ロケーションの推定値（及び精度又は精度情報）を受信した際に、ロケーションの推定値及び精度又は精度フラグをＬＣＳサーバ／ＧＭＬＣに提供し、ＬＣＳサーバ／ＧＭＬＣが、この情報（ロケーションの推定値及び精度又は精度フラグ）を緊急サービスＬＣＳクライアントに転送可能である。例えば、ＭＴ１１のユーザは、緊急支援番号（例えば、「９１１」）を呼び出し可能であり、支援を提供するために、要求精度を有するロケーション要求を実行し（又は、オペレータが実行できるようにし）、当局又は救助者によるＭＴ１１のユーザのロケーションの測位を支援可能となるようにコアネットワークは構成される。
【００２３】
モバイル発信型ロケーション要求の場合には、ロケーション要求は、ＭＴ１１を含むＵＥを介してユーザによって起動され、ＭＴ１１が、この要求と要求精度をＲＡＮを介して（トランスペアレントに）ＣＮ（ＭＳＣ又はＳＧＳＮ）に対して伝送する。例えば、ＭＴ１１の位置の推定値をＭＴ１１に返したり、ＭＴ１１の位置の推定値をなんらかのその他の外部ＬＣＳクライアントに送信したりするものを含む様々なタイプのロケーションサービスを要求可能である。いずれの場合にも、ＲＡＮが、コアネットワーク１６（ＭＳＣ又はＳＧＳＮ）に対して報告し、コアネットワークが、それをＭＴ１１又はなんらかのその他の外部ＬＣＳクライアントに対してＬＣＳサーバ１６ａ／ＧＭＬＣを介して転送する。（従って、要求がＭＴ１１によって発信され、且つ、それがＭＴ１１自体の位置に関するものである場合には、ロケーション／位置の推定値は、ＲＡＮからＣＮ、そして、恐らくは、ＬＣＳサーバに送信され（例えば、ＴＳ２３．２７１（ｖ５．８．０）の９．２．１節の図９．７を参照されたい）、次いで、ＲＡＮを通じて、ＭＴ１１に戻されるが、典型的には、精度情報を伴っていないが、追加情報をＣＮからＭＴに送信することも可能である）。
【００２４】
従って、図３並びに図１を参照すれば、本発明によって更に一般的には、応答者１２（これは、ＲＡＮ１２内のＬＣＳ制御機能であり、即ち、ＵＴＲＡＮ又はＧＥＲＡＮ内の組み込み型又は外部のＳＭＬＣ（Serving  Mobile  Location  Center）である）は、要求者１９（これは、図３の破線内に示されているすべての様々なロケーションに存在可能である）から、ＬＣＳサーバ１６ａを含むコアネットワーク１６を介して、要求精度（例えば、精度を表現するメートルなどの手段のなんらかの表示を含む）と共にＭＴ１１に関するロケーション要求を受信し、次いで、応答者１２は、モバイル端末の位置の推定値を算出又は、そのやり方で判定し、コアネットワーク１６（並びに、特にＬＣＳサーバ１６ａ）に対して、位置の推定値を保持すると共に、位置の推定値が要求精度を具備しているかどうかに関する表示又は要求精度を表示するために（要求精度と直接的に比較できるように）ネットアーク構成要素Ｂが使用したものと同一の条件（形態）によって付与された位置推定値の精度のいずれかを保持しているメッセージを提供する。図３に示されているように、ロケーション要求は、常に、Ｉｕインタフェース（ＵＭＴＳ及びＧＥＲＡＮ  Ｉｕモードの場合）又はＡ／Ｇｂインタフェース（ＧＥＲＡＮ  Ａ／Ｇｂモードの場合）を介してコアネットワーク１６（ＳＧＳＮ／ＭＳＣ）からＲＡＮ１２に着信するが、要求者は、そのロケーションが推定対象となっているＭＴ１１をホスティングしているＵＥ内に存在可能であって、これは、外部ＬＣＳクライアントの一例であり、或いは、コアネットワーク１６内に存在可能であり、或いは、（ＭＴ１１をホスティングしているＵＥとは別個の）なんらかのその他の外部ＬＣＳクライアントなどのその他の装置内に存在することも可能であり、必ずしも、ＲＡＮ１２又はその他のＲＡＮを介してコアネットワークに接続されておらず、その代わりに、例えば、インターネットを介したものであってもよい。
【００２５】
前述の本発明の使用法（緊急支援を提供する場合、並びに、提供されていないサービスについてＬＣＳクライアントに請求しないようにする場合の）は、一例に過ぎない。緊急支援に関連しては、Ｒｅｌ−６  ２３．２７１  ｖ６５０（節９．１．５Ａ内の）に記述されているように、ＧＭＬＣが、当初のロケーションの推定値が緊急呼び出しの精度要件を満足しているかどうかを判定する能力を有している場合には、より高精度のロケーションを要求する必要がないため、本発明は、特に、既に取得済みのロケーションの推定値が十分な精度を有している場合に、ＧＭＬＣが緊急呼び出しの際にロケーション要求の実行をしばしば回避可能であるという点が特に有用である。
【００２６】
以上、（主に）コントローラ１２ｂからコアネットワーク１６のＬＣＳサーバ１６ａに対してメッセージを送信する（通常、コアネットワークのその他の構成要素を介して）段階として、対応した要求精度が実現されているかどうかを判定するのにＬＣＳサーバが使用可能な形態のロケーションの推定値の精度の記述と共にロケーションの推定値を伝送するという観点から、本発明について説明した。本発明は、メッセージを提供する１つ又は複数の装置をも含んでいる。例えば、本発明は、アクセスポイント１２ａに位置する装置によって実行されたロケーションの計測値を受信し、ロケーションの推定値を算出し、且つ、ＬＣＳサーバ１６ａが使用可能な条件においてその精度を決定するＬＳＣ計算機能１２ｃ内に位置する装置を含んでいる。ＬＣＳサーバ１６ａが使用可能な条件における精度の決定は、メッセージを準備しコアネットワーク１６に送信するコントローラ１２ｂによっても実行可能である。これらの装置のそれぞれの機能のいくつか又はすべては、ハードウェアとして実装可能であり、或いは、プロセッサによって実行するためのソフトウェア又はファームウェアとして実装することも可能である。従って、本発明には、コントローラ１２ｂ及びＬＳＣ計算機能１２ｃと共に提供されているコンピュータプロセッサによって実行するためのコンピュータプログラムコード（即ち、ソフトウェア又はファームウェア）を実装しているコンピュータ可読ストレージ構造を含むコンピュータプログラムプロダクトも含まれている。
【００２７】
以上の構成は、本発明の原理の適用を例示するものに過ぎないことを理解されたい。当業者であれば、本発明の範囲を逸脱することなしに、多数の変更及び代替構成を考案可能であり、添付の請求項は、それらの変更及び構成をも包含することを意図するものである。
【図面の簡単な説明】
【００２８】
【図１】モバイル端末のロケーションとは異なるロケーションに位置する所謂外部のロケーション通信サービスのクライアントによって要求が発信される場合における要求精度を伴うモバイル端末の位置の推定値の要求と関連した関係するネットワーク構成要素及び通信端末のブロック図／フローチャートを示す図である。
【図２】図１のアーキテクチャを多少更に詳細に示しているブロック図を示す図である。
【図３】本発明による基本的なメッセージングを示すと共に、モバイル端末の位置の推定値の様々な可能な異なる要求元を示すブロック図／フローチャートを示す図である。
【図１】
2007527659.tif 000003
【図２】
2007527659.tif 000004
【図３】
2007527659.tif 000005
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
無線通信ネットワークの無線アクセスネットワークのコントローラを介して該無線通信ネットワークのコアネットワークに結合されているモバイル端末のロケーションの推定値に関するロケーション通信サービスのクライアントによって発信された要求を受信する段階であって、前記要求が要求精度を含んでいる、段階と、
前記要求に応答し、前記モバイル端末のロケーションの計測を要求する段階と該ロケーションの計測からロケーションの推定値及び関連した精度を決定する段階と、
前記ロケーションの推定値を通知すると共に、前記関連した精度が前記要求精度以内かどうかを通知するバイナリ表示、又は前記要求精度と同一の条件で表わされた前記関連した精度を含む応答を提供する段階と、有する方法。
【請求項２】
前記ロケーション通信サービスのクライアントは、前記コアネットワークの外部に存在している請求項１記載の方法。
【請求項３】
前記ロケーション通信サービスのクライアントは、前記モバイル端末から遠く離れた装置によってホスティングされているアプリケーションである請求項２記載の方法。
【請求項４】
前記ロケーション通信サービスのクライアントは、前記モバイル端末に含まれる請求項２記載の方法。
【請求項５】
前記ロケーション通信サービスのクライアントは、前記コアネットワーク内に存在している請求項１記載の方法。
【請求項６】
前記ロケーション通信サービスのクライアントは、前記無線アクセスネットワークのコントローラに含まれる請求項１記載の方法。
【請求項７】
コントローラの装置の一部として含まれているコンピュータプロセッサによって実行するためのコンピュータプログラムコードを実装したコンピュータ可読記憶構造を有するコンピュータプログラムプロダクトであって、前記コンピュータプログラムコードは、請求項１記載の方法を実行する命令を含んでいるコンピュータプログラムプロダクト。
【請求項８】
無線通信ネットワークの無線アクセスネットワークのコントローラを介して該無線通信ネットワークのコアネットワークに結合されているモバイル端末のロケーションの推定値に関するロケーション通信サービスのクライアントから発信された要求を受信する手段であって、該要求が要求精度を含んでいる、手段と、
前記要求に応答し、前記モバイル端末のロケーションの計測を要求する手段と前記ロケーションの計測に基づいてロケーションの推定値及び関連した精度を決定する手段と、
前記ロケーションの推定値を通知すると共に、前記関連した精度が前記要求精度以内であるかどうか通知するバイナリ表示、又は前記要求精度と同一の条件で表わされた前記関連した精度を含む応答を提供する手段と、を備える装置。
【請求項９】
請求項８記載の装置と、無線通信システムのコアネットワークと、モバイル端末と、該モバイル端末を該コアネットワークに結合している無線アクセスネットワークと、を備えるシステムであって、該無線アクセスネットワークが前記の装置を含んでいる、システム。
【請求項１０】
無線アクセスネットワークのコントローラを介してコアネットワークに通信結合するように装備されたモバイル端末であって、該コアネットワークはロケーション通信サービスのサーバを含み、前記移動端末は、ロケーション通信サービスのクライアントから発信された前記モバイル端末のロケーションの推定値に関する要求に対する応答を特に受信するように装備されており、前記要求は要求精度を含んでおり、前記応答は関連した精度を有するロケーションの推定値を含んでおり且つ前記関連した精度が前記要求精度以内であるかどうかを通知するバイナリ表示、又は前記要求精度と同じ条件で表わされた前記関連した精度を含む、モバイル端末。
【請求項１１】
無線通信システムのコアネットワークと、請求項１０記載のモバイル端末と、該モバイル端末を前記コアネットワークに結合し、要求に応答して、ロケーションの推定値と関連した精度を提供するために前記モバイル端末のロケーションの計測を実行する手段を含む無線アクセスネットワークと、を備えるシステム。
【請求項１２】
前記無線アクセスネットワークは前記要求に応答する際に使用する装置を含み、該装置は、前記要求に応答して、コントローラが、前記ロケーションの推定値を通知し且つ前記関連した精度が要求精度以内であるかどうかを通知し、該関連した精度が該要求精度以内であるかどうかを通知するバイナリ表示、又は前記要求精度と同じ条件で表わされた前記関連した精度を含む応答を提供する手段を備える請求項１１記載のシステム。
【請求項１３】
無線アクセスネットワークのコントローラを介して無線通信ネットワークのコアネットワークに結合されたモバイル端末のロケーションの推定値に関する、要求精度を含む、ロケーション通信サービスのクライアントから発信された要求を受信し、
前記要求に応答して前記モバイル端末のロケーションの計測を要求し、該ロケーションの計測に基づいてロケーションの推定値と関連した精度とを決定し、
前記ロケーションの推定値を通知し、前記関連した精度が前記要求精度以内であるかどうかを通知するバイナリ表示、又は前記要求精度と同じ条件で表わされた前記関連した精度を含む応答を提供するように構成されるプロセッサを備える装置。
【請求項１４】
請求項１３記載の装置と、無線通信ネットワークのコアネットワークと、モバイル端末と、前記の装置を含み、前記モバイル端末を前記コアネットワークに結合する無線アクセスネットワークと、を備えるシステム。
【請求項１５】
前記コアネットワークの外部に存在する、ロケーション通信サービスのクライアントをさらに備える請求項１４記載のシステム。
【請求項１６】
前記ロケーション通信サービスのクライアントが前記モバイル端末から遠く離れた装置によってホスティングされるアプリケーションである請求項１５記載のシステム。
【請求項１７】
前記ロケーション通信サービスのクライアントが前記モバイル端末に含まれる請求項１５記載のシステム。
【請求項１８】
前記ロケーション通信サービスのクライアントが前記コアネットワーク内に存在する請求項１４記載のシステム。
【請求項１９】
前記ロケーション通信サービスのクライアントが前記無線アクセスネットワークのコントローラ内に含まれる請求項１４記載のシステム。